【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
ユーザ設定可能な同期化サーバファームであって、
バス、ネットワーク、および共有メモリの少なくともいずれか１つを含む通信システムと、
コンピューター可読メモリ内に含まれ、かつ前記通信システムに接続され、前記サーバファームに関するコンフィギュレーションデータを格納し、要求に応じて前記サーバファームの各サーバに対して該コンフィギュレーションデータを送るように作用するコンフィギュレーションデータベースであって、該コンフィギュレーションデータはサーバコンフィギュレーション設定と特定用途向け設定とを含む、コンフィギュレーションデータベースと、
前記コンフィギュレーションデータベースに接続されて、該コンフィギュレーションデータベースに格納されているコンフィギュレーションデータをユーザ入力に従って更新するコンフィギュレーションデータオブジェクトモデルと、
前記コンフィギュレーションデータベース内に格納されている前記コンフィギュレーションデータを受信するために前記通信システムを通じて前記コンフィギュレーションに接続する複数のサーバであって、各該サーバは前記コンフィギュレーションデータベース内に格納されている前記コンフィギュレーションデータの何らかの変化で該サーバを自動的に更新するためのタイマーサービスを備えた同期機構を含み、該同期機構は該サーバ内に格納されているエージェントを含み、該エージェントは前記コンフィギュレーションデータベースに定期的に接続して照会し、かつ前記コンフィギュレーションデータの変更を前記サーバにダウンロードし、前記複数のサーバは前記サーバファームから形成されている、複数のサーバと
を具備することを特徴とするサーバファーム。
【請求項２】
前記特定用途向け設定は、セキュリティ規定、ウイルス撃退用定義、および言語設定を含むことを特徴とする請求項１に記載のサーバファーム。
【請求項３】
前記コンフィギュレーションオブジェクトモデルは、前記コンフィギュレーションデータベースのスキーマを変更すること無しに、該コンフィギュレーションデータベースにデータを加えることをユーザに許すことを特徴とする請求項２に記載のサーバファーム。
【請求項４】
前記サーバファーム内の少なくとも１つのサーバに関するデータを記憶する少なくとも１つのコンテンツストアをさらに備えることを特徴とする請求項１に記載のサーバファーム。
【請求項５】
前記同期機構は、前記コンテンツストアについての情報を前記サーバに伝搬することを特徴とする請求項４に記載のサーバファーム。
【請求項６】
前記サーバファームに対してなされた要求を該サーバファーム内のサーバ間で分配するためのロードマネージャをさらに備えることを特徴とする請求項１に記載のサーバファーム。
【請求項７】
サーバファームのサーバのコンフィギュレーションを自動的に複製するための拡張可能なシステムであって、
バス、ネットワーク、および共有メモリの少なくともいずれか１つを含む通信システムと、
コンピューター可読メモリ内に含まれ、かつ前記通信システムに接続され、前記サーバファームに関するコンフィギュレーションデータを格納し、要求に応じて前記サーバファームの各サーバに対して該コンフィギュレーションデータを送るように作用するコンフィギュレーションデータベースであって、該コンフィギュレーションデータはサーバコンフィギュレーション設定と特定用途向け設定とを含み、前記コンフィギュレーションデータベースは該コンフィギュレーションデータベースのスキーマを含む、コンフィギュレーションデータベースと、
前記コンフィギュレーションデータベース内に格納されている前記コンフィギュレーションデータを受信するために前記通信システムを通じて前記コンフィギュレーションに接続する複数のサーバであって、該複数のサーバは１つのサーバファームを形成する、複数のサーバと、
前記コンフィギュレーションデータベースに接続され、該コンフィギュレーションデータベースの前記スキーマを使用すること無しに、前記コンフィギュレーションデータベースの前記コンフィギュレーションデータを更新するために拡張可能なコンフィギュレーションデータオブジェクトモデルと、
前記コンフィギュレーションデータの何らかの変化で前記サーバを自動的に更新するための前記サーバファーム内の各サーバに含まれる同期機構であって、該同期機構は前記サーバ内に格納されたエージェントを含み、該エージェントは前記コンフィギュレーションデータベースに定期的に接続して照会し、かつ前記コンフィギュレーションデータの変更を前記サーバへダウンロードする、同期機構と
を具備することを特徴とするシステム。
【請求項８】
前記同期機構はタイマーサービスであることを特徴とする請求項７に記載のシステム。
【請求項９】
複数の前記サーバに関するデータを記憶する少なくとも１つのコンテンツストアをさらに備えることを特徴とする請求項７に記載のシステム。
【請求項１０】
前記同期機構は、前記コンテンツストアについての情報を複数の前記サーバに伝搬することを特徴とする請求項９に記載のシステム。
【請求項１１】
前記サーバファームに対してなされた要求を、前記サーバファーム内のサーバの間で分配するためのロードマネージャをさらに備えていることを特徴とする請求項７に記載のシステム。
【請求項１２】
少なくとも１つの要求を前記サーバファームに送る少なくとも１つのクライアントデバイスをさらに備えていることを特徴とする請求項７に記載のシステム。
【請求項１３】
複数のサーバを含む一つのサーバファーム内のサーバのコンフィギュレーションを自動的に複製するための拡張可能な、コンピューター実行方法であって、
コンピューター可読メモリ内に含まれ、前記サーバファームに関するコンフィギュレーションデータを格納し、要求に応じて前記サーバファームの各サーバに対して該コンフィギュレーションデータを送るように作用するコンフィギュレーションデータベース内に、前記サーバファームに関するコンフィギュレーションデータを格納するステップであって、該コンフィギュレーションデータはサーバコンフィギュレーション設定と特定用途向け設定とを含み、該コンフィギュレーションデータベースはスキームを有する、ステップと、
前記コンフィギュレーションデータベースの前記スキーマを使用することなしに、前記コンフィギュレーションデータベース内の前記コンフィギュレーションデータを更新するように拡張することができるコンフィギュレーションオブジェクトモデルを用意するステップと、
前記コンフィギュレーションデータベース内に格納された前記コンフィギュレーションデータの何らかの変化で前記サーバを自動的に更新するための前記サーバファーム内の各サーバに含まれる同期機構を確立するステップであって、該同期機構は前記サーバ内に格納されたエージェントを含み、該エージェントは前記コンフィギュレーションデータベースに定期的に接続して照会し、かつ前記コンフィギュレーションデータの変更を前記サーバへダウンロードする、ステップと
を含むことを特徴とするコンピューター実行方法。
【請求項１４】
ユーザ設定可能な同期化サーバファームであって、
バス、ネットワーク、および共有メモリの少なくともいずれか１つを含む通信システムと、
コンピューター可読メモリ内に含まれ、かつ前記通信システムに接続され、前記サーバファームに関するコンフィギュレーションデータを格納し、要求に応じて前記サーバファームの各サーバに対して該コンフィギュレーションデータを送るように作用するコンフィギュレーションデータベースであって、該コンフィギュレーションデータはサーバコンフィギュレーション設定と特定用途向け設定とを含み、前記コンフィギュレーションデータベースは該コンフィギュレーションデータベースのスキーマを含む、コンフィギュレーションデータベースと、
前記コンフィギュレーションデータベースに接続され、該コンフィギュレーションデータベースの前記スキーマを使用すること無しに、前記コンフィギュレーションデータベースの前記コンフィギュレーションデータを更新するために拡張可能なコンフィギュレーションデータオブジェクトモデルと、
前記コンフィギュレーションデータベース内に格納されている前記コンフィギュレーションデータを受信するために前記通信システムを通じて前記コンフィギュレーションに接続する複数のサーバであって、各該サーバは前記コンフィギュレーションデータベース内に格納されている前記コンフィギュレーションデータの何らかの変化で該サーバを自動的に更新するための同期機構を含み、該同期機構は該サーバ内に格納されているエイジェントを含み、該エイジェントは前記コンフィギュレーションデータベースに周期的に接続して問い合わせをし、かつ前記コンフィギュレーションデータの変化を前記サーバにダウンロードし、前記複数のサーバは前記サーバファームから形成されており、前記コンフィギュレーションオブジェクトモデルは、前記コンフィギュレーションデータベースのスキーマを変更すること無しに、該コンフィギュレーションデータベースにデータを加えることをユーザに許す、複数のサーバと
を具備することを特徴とするサーバファーム。